(57)【要約】【課題】本考案は、ガスコンロやバーベキューコンロ等で効率的に短時間に加熱することができると共に、表面についた汚れを簡単に洗い落とすことができる焼肉石板を提供する。【解決手段】本考案の焼肉石板は、長方形の石板１と、該石板１の長手方向に沿って３本の貫通するスリット２と、前記石板１の短手方向の相対向する側に設ける把手３と、からなる。さらに、前記石板１の表面には、艶（本磨き仕上げ）を施した。そのため、温度上昇の効率が非常によく、高温まで達することが可能であるし、石板表面がツルツルなので引っ付かないし、焦げ付きにくいし、また、終了時の洗ったりする調理後の水洗い等の後処理が容易である。【選択図】図１
0003206092.tif 000002
【実用新案登録請求の範囲】
【請求項１】
火成岩からなる長方形の石板に、長手方向又は短手方向に沿って複数本の貫通するスリットを形成し、短手方向の相対向する側に把手を設けると共に、前記石板の表面に艶（本磨き仕上げ）を施したことを特徴とする焼肉石板。
【請求項２】
前記火成岩は、輝石安山岩の男鹿石であることを特徴とする請求項１記載の焼肉石板。
【請求項３】
前記把手は、略三日月形状の貫通穴を設けることにより形成することを特徴とする請求項１記載の焼肉石板。
【考案の詳細な説明】
【技術分野】
【０００１】
本考案は、炭火等の熱源の上で加熱し、肉や野菜等の食材を焼いて調理する焼肉石板に関するものである。
【背景技術】
【０００２】
従来、耐衝撃性や温度変化に強く然も肉や野菜からの汁などが石板の端部などからもれ落ちもなく、更に、汁が石板上ではね飛ばない石焼用石板が知られている（特許文献１を参照）。
この公知技術は、内部に微細な空洞を多数有する玄武岩、凝灰岩等の溶岩系の火山岩からなる石板の少なくとも一方の表面に浅広い凹部を形成すると共に、前記石板の側面の相対向する側に把手を設けた石焼用石板である。
前記石板の材質が、玄武岩、凝灰岩などの溶岩系の火山岩からできていることから、耐衝撃性や温度の変化にも強い石板を得ることができると共に内部に微細な空洞を多数有していることから、食物を焼いたとき生じた汁はこの空洞に吸収されて石板の表面に溜まることがほとんどなく、万一表面に溜まった時でも表面に形成した凹部によって石板の外側へこぼれ落ちることを防止できる。又、食物が油系のものであっても、跳びはねることがないので周囲の人の衣服等を汚すことがない。
【０００３】
しかし、前記石焼用石板は、炭火網焼きや炭火鉄板焼きより短時間で加熱することができるが、初回使用時には油を引いて調理しなければならず、また終了時には表面の汚れをフライ返しでこすりタワシで水洗い処理をしなければならず、調理後の後処理が大変であった。
そこで、ガスコンロやバーベキューコンロ等で効率的に短時間に加熱することができると共に、表面についた汚れを簡単に洗い落とすことができる焼肉石板が望まれていた。
【先行技術文献】
【特許文献】
【０００４】
【特許文献１】実開昭６２−２３５２８号公報
【考案の概要】
【考案が解決しようとする課題】
【０００５】
本考案は、ガスコンロやバーベキューコンロ等で効率的に短時間に加熱することができると共に、表面についた汚れを簡単に洗い落とすことができる焼肉石板を提供することを目的とする。
【課題を解決するための手段】
【０００６】
本考案の焼肉石板は、火成岩からなる長方形の石板に、長手方向又は短手方向に沿って複数本の貫通するスリットを形成し、短手方向の相対向する側に把手を設けると共に、前記石板の表面に艶（本磨き仕上げ）を施したものである。
前記火成岩は、輝石安山岩の男鹿石である。
前記把手は、略三日月形状の貫通穴を設けることにより形成する。
【考案の効果】
【０００７】
本考案の焼肉石板は、長手方向又は短手方向に沿って複数本の貫通するスリットを形成したため、温度上昇の効率が非常によく、高温まで達することが可能である。
本考案の焼肉石板は、表面に艶（本磨き仕上げ）を施したため、表面粗さが約０．０８μｍで、石板表面がツルツルなので引っ付かないし、焦げ付きにくいし、また、終了時の
洗ったりする調理後の水洗い等の後処理が容易である。
本考案の焼肉石板は、把手を設けたので持ち運びが容易となる。
【図面の簡単な説明】
【０００８】
【図１】本考案の焼肉石板の平面図である。
【図２】本考案の焼肉石板の正面図である。
【図３】本考案の焼肉石板の側面図である。
【図４】本考案の焼肉石板とスリットなし石板のサーモグラフィの写真図である。
【考案を実施するための形態】
【０００９】
本考案の焼肉石板の一実施例を添付図面に基づいて、以下に説明する。
図１の平面図、図２の正面図、図３の側面図に示すように、本考案の焼肉石板は、長方形の石板１と、該石板１の長手方向又は短手方向に沿って３本の貫通するスリット２と、前記石板１の短手方向の相対向する側に設ける把手３と、からなる。
さらに、前記石板１の表面には、艶（本磨き仕上げ）を施した。
【００１０】
前記石板１は、火成岩からなる輝石安山岩の男鹿石であり、熱に強く、耐熱温度が約１０００℃である。
前記スリット２は、石板１の大きさにもよるが、長手方向又は短手方向に沿って並列に複数本の貫通孔穴であれば良く、本実施例では３本としているが、これに限らない。
前記把手３は、短手方向の相対向する側に略三日月形状の貫通穴４を設けることにより形成する。
前記石板１の表面の艶（本磨き仕上げ）は、表面粗さが約０．０８μｍ（０．００００８ｍｍ）であり、表面がツルツルなので引っ付かないし、焦げ付かない。
【００１１】
下記表１のグラフは、本考案の焼肉石板と同一大きさの男鹿石のスリットなし石板を５分間隔で温度変化を計測した結果である。
使用した加熱調理器はリンナイRTS−１NDA（一口ガスコンロ）で、火加減は強火である。本考案の焼肉石板は５分で１３１℃に到達し、１５分で２５０℃を超え、２０分で２８１℃まで達した。それに対して、スリットなし石板ははじめから緩やかに上昇し、１５分で１０１℃、３０分でも１２６℃という結果であった。
図４に、本考案の焼肉石板と同一大きさの男鹿石のスリットなし石板のそれぞれ５分後、１０分後、１５分後、２０分後のサーモグラフィの写真を示した。
【００１２】
【表１】
0003206092.tif 000003
【００１３】
以上の結果から、本考案の焼肉石板は、火成岩からなる長方形の石板に、長手方向又は短手方向に沿って複数本の貫通するスリットを形成し、短手方向の相対向する側に把手を設けると共に、前記石板の表面に艶（本磨き仕上げ）を施したので、温度上昇の効率が非常によく、高温まで達することが可能であるし、石板表面がツルツルなので引っ付かないし、焦げ付きにくいし、また、終了時の洗ったりする調理後の水洗い等の後処理が容易である。
【符号の説明】
【００１４】
１  石板
２  スリット
３  把手
４  貫通穴
【図１】
0003206092.tif 000004
【図２】
0003206092.tif 000005
【図３】
0003206092.tif 000006
【図４】
0003206092.tif 000007
【手続補正書】
【提出日】平成28年7月6日(2016.7.6)
【手続補正１】
【補正対象書類名】実用新案登録請求の範囲
【補正対象項目名】全文
【補正方法】変更
【補正の内容】
【実用新案登録請求の範囲】
【請求項１】
火成岩からなる長方形の石板に、長手方向又は短手方向に沿って複数本の貫通するスリットを形成し、短手方向の相対向する側に把手を設けると共に、前記石板の表面に本磨き仕上げを施したことを特徴とする焼肉石板。
【請求項２】
前記火成岩は、輝石安山岩の男鹿石であることを特徴とする請求項１記載の焼肉石板。
【請求項３】
前記把手は、略三日月形状の貫通穴を設けることにより形成することを特徴とする請求項１記載の焼肉石板。